(57)【特許請求の範囲】
【請求項１】
調理物を収容する加熱室と、該加熱室内に載置された調理物の重量を検出する重量検出手段と、該加熱室への調理物の出し入れを行う扉と、該扉の開閉状態を検出する開閉検出手段と、前記加熱室内に載置された調理物を加熱する加熱手段と、使用者の操作に応じて前記加熱手段による加熱条件を設定する加熱条件設定手段と、使用者の操作に応じて加熱調理の開始を指示する調理開始指示手段と、前記加熱条件設定手段により加熱条件が設定され且つ前記開閉状態検出手段により前記扉が閉状態であることが認識され且つ前記調理開始指示手段により加熱調理の開始が指示されたときに、該加熱条件に従って前記加熱手段を作動させる加熱調理を行う加熱調理制御手段とを備えた加熱調理器において、
前記加熱調理が終了した際の前記加熱条件を記憶する記憶手段と、使用者の操作に応じて前記加熱調理の延長時間を設定する延長時間設定手段と、
前記重量検出手段により検出される、前記加熱調理終了時の調理物の重量である第１重量と、前記加熱調理の終了後、前記開閉検出手段により最初に前記扉が開状態となったことが検出され、その後最初に前記開閉検出手段により前記扉が閉状態となったことが検出された時の調理物の重量である第２重量との差が所定範囲内であるか否かを判断する重量変化判断手段と、
該重量変化判断手段により前記第１重量と前記第２重量との差が前記所定範囲内であったと判断されたときは、前記加熱条件設定手段の操作を無効且つ前記延長時間設定手段の操作を有効とし、また、前記重量変化判断手段により前記第１重量と前記第２重量との差が前記所定範囲外であったと判断されたときには、前記延長時間設定手段の操作を無効且つ前記加熱条件設定手段の操作を有効とする延長時間設定許可手段と、
前記延長時間設定手段により前記延長時間が設定され且つ前記調理開始指示手段により加熱調理の開始が指示されたときに、該延長時間の間、前記記憶手段に記憶された加熱条件に従って前記加熱手段を作動させる追い加熱を実行する追い加熱制御手段とを備えたことを特徴とする加熱調理器。
【請求項２】
前記延長時間設定許可手段は、前記重量変化判断手段により、前記第１重量と前記第２重量との差が前記所定範囲内であったと判断されたときに、所定時間内に限って前記加熱条件設定手段の操作を無効且つ前記延長時間設定手段の操作を有効とし、該所定時間が経過した後は、前記延長時間設定手段の操作を無効且つ前記加熱条件設定手段の操作を有効とすることを特徴とする請求項１記載の加熱調理器。
【請求項３】
前記加熱調理器は、前記加熱条件設定手段として前記加熱調理の実行時間を設定する加熱時間設定手段を備え、前記延長時間設定許可手段が、前記重量変化判断手段により、前記第１重量と前記第２重量との差が前記所定範囲内にあったと判断されたときには、前記加熱時間設定手段を前記延長時間設定手段として使用することを特徴とする請求項１又は２記載の加熱調理器。
【発明の詳細な説明】
【０００１】
【発明の属する技術の分野】
本発明は、使用者の操作に応じて調理物の加熱条件を設定し、該加熱条件に従って加熱調理を行う加熱調理器に関する。
【０００２】
【従来の技術】
従来、電子オーブンレンジや、電子レンジとガス加熱オーブンを組合せた複合加熱調理器のように、高周波や熱風等により調理物の加熱を行う加熱調理器において、調理内容に応じた種々の調理メニューの選択を可能とし、選択された調理メニューに応じた調理シーケンスに従って自動調理を行う加熱調理器が知られている。
【０００３】
そして、前記調理シーケンスにおける加熱量や加熱時間、或いはオーブン調理にあっては加熱室内の温度等（以下、加熱条件という）は、各調理メニューにおける標準的な値に基づいて決定される。そのため、使用者によっては、自動調理が終了したときに、調理物の加熱が不足していると感じる場合があり、この場合には、使用者はさらに調理物を加熱する追い加熱を行うことを希望すると考えられる。また、使用者が加熱室内の温度や加熱時間を直接設定する手動調理を行う場合でも、手動調理の終了時に調理物の加熱が不足していると判断すれば、使用者は追い加熱を行うことを希望すると考えられる。
【０００４】
ところで、加熱室の扉が閉まった状態では調理物が見にくいため、通常、使用者は加熱室の扉を開けて調理物の仕上がり具合を確認する。そして、特にオーブン調理においては加熱室内の温度が下がることを極力避けたいため、調理物の仕上がり具合を確認した後、使用者は直ちに扉を閉めると考えられる。そのため、このように、使用者が扉を開けて調理物の仕上がり具合を確認し、再び扉を閉めた状態で、追い加熱を行うことができるようにすることが望ましい。
【０００５】
しかし、加熱調理の終了後に、使用者が必ず追い加熱を行うとは限らず、調理物を交換して次の（新たな）加熱調理を行う場合もある。即ち、加熱調理が終了して扉が開閉されたときに、追い加熱と新たな加熱調理の双方が実行可能な状態とする必要がある。そしてこれらの双方を実行可能とするために、使用者の要望に応じて、追い加熱の実行と新たな加熱調理の実行とを区別して指示するスイッチ等を設けることが必要となるが、このようなスイッチを設けると、使用者の操作が複雑になり誤操作が生じ易くなるという不都合が生じる。
【０００６】
【発明が解決しようとする課題】
本発明は、上記背景を鑑みてなされたものであり、調理物に対する追い加熱を実行するときに誤操作が生じることを防止した加熱調理器を提供することを目的とする。
【０００７】
【課題を解決するための手段】
本発明は、上記目的を達成するためになされたものであり、調理物を収容する加熱室と、該加熱室内に載置された調理物の重量を検出する重量検出手段と、該加熱室への調理物の出し入れを行う扉と、該扉の開閉状態を検出する開閉検出手段と、前記加熱室内に載置された調理物を加熱する加熱手段と、使用者の操作に応じて前記加熱手段による加熱条件を設定する加熱条件設定手段と、使用者の操作に応じて加熱調理の開始を指示する調理開始指示手段と、前記加熱条件設定手段により加熱条件が設定され且つ前記開閉状態検出手段により前記扉が閉状態であることが認識され且つ前記調理開始指示手段により加熱調理の開始が指示されたときに、該加熱条件に従って前記加熱手段の作動を制御する加熱調理を行う加熱調理制御手段とを備えた加熱調理器の改良に関する。
【０００８】
前記加熱調理が終了すると、使用者は前記扉を開けて調理物の仕上がり具合（加熱具合）を確認する。そして、調理物の加熱が不足していると判断したときは、使用者は、前記調理室内の温度が下がることを防止するために直ちに前記扉を閉め、更に調理物を加熱する追い加熱を行うことを希望すると想定される。
【０００９】
そこで、本発明は、前記加熱調理が終了した際の前記加熱条件を記憶する記憶手段と、使用者の操作に応じて前記加熱調理の延長時間を設定する延長時間設定手段と、前記重量検出手段により検出される、前記加熱調理終了時の調理物の重量である第１重量と、前記加熱調理の終了後、前記開閉検出手段により最初に前記扉が開状態となったことが検出され、その後最初に前記開閉検出手段により前記扉が閉状態となったことが検出された時の調理物の重量である第２重量との差が所定範囲内であるか否かを判断する重量変化判断手段と、該重量変化判断手段により前記第１重量と前記第２重量との差が前記所定範囲内であったと判断されたときは、前記加熱条件設定手段の操作を無効且つ前記延長時間設定手段の操作を有効とし、また、前記重量変化判断手段により前記第１重量と前記第２重量との差が前記所定範囲外であったと判断されたときには、前記延長時間設定手段の操作を無効且つ前記加熱条件設定手段の操作を有効とする延長時間設定許可手段と、前記延長時間設定手段により前記延長時間が設定され且つ前記調理開始指示手段により加熱調理の開始が指示されたときに、該延長時間の間、前記記憶手段に記憶された加熱条件に従って前記加熱手段を作動させる追い加熱を実行する追い加熱制御手段とを備えたことを特徴とする。
【００１０】
かかる本発明によれば、前記加熱調理が終了した時の調理物の重量（第１重量）と、前記加熱調理の終了後最初に前記扉が開閉された時の調理物の重量（第２重量）との差が所定範囲内であるか否かが前記重量変化判断手段により判断される。ここで、前記重量変化判断手段により、前記第１重量と前記第２重量との差が前記所定範囲内にあると判断されたときは、前記加熱調理が終了した後、調理物が前記加熱室から取出されていない状態、或いは一旦取出して再び前記加熱室に戻された状態にあると想定できる。
【００１１】
そしてこの場合は、調理物の加熱が不足しており、使用者がさらに調理物を加熱する追い加熱を行うことを希望していると想定できるため、前記延長時間設定許可手段は、前記加熱条件設定手段を無効且つ前記延長時間設定手段を有効とする。これにより、使用者は前記延長時間設定手段を操作して前記延長時間を設定し、前記追い加熱を行うことができる。そしてこのとき、前記加熱条件設定手段の操作が無効とされるため、使用者が誤って前記加熱条件設定手段を操作しても前記加熱条件が変更されることがなく、使用者の意に反した加熱調理が実行されることを防止することができる。
【００１２】
一方、前記重量変化判断手段により、前記第１重量と前記第２重量との差が前記所定範囲外であると判断されたときには、調理物が加熱室から取出されたか、或いは他の調理物と交換されたと想定することができる。そこで、この場合には、前記延長時間設定許可手段は、前記延長時間設定手段を無効且つ前記加熱条件設定手段を有効とする。これにより、使用者は前記加熱条件設定手段を操作して交換した調理物に対して加熱調理を行うことができる。そしてこのとき、前記延長時間設定手段の操作が無効とされるため、使用者が誤って前記延長時間設定手段を操作しても、使用者の意に反して前記追い加熱が実行されることはない。
【００１３】
また、前記延長時間設定許可手段は、前記重量変化判断手段により、前記第１重量と前記第２重量との差が前記所定範囲内であったと判断されたときに、所定時間内に限って前記加熱条件設定手段の操作を無効且つ前記延長時間設定手段の操作を有効とし、該所定時間が経過した後は、前記延長時間設定手段の操作を無効且つ前記加熱条件設定手段の操作を有効とすることを特徴とする。
【００１４】
使用者が前記追い加熱を行うことを希望する場合は、前記加熱調理が終了して、前記扉を開けて調理物の加熱度合いを確認した後、前記扉を閉めて直ちに前記延長時間設定手段を操作すると想定できる。即ち、前記重量変化判断手段により、前記第１重量と前記第２重量との差が前記所定範囲内にあると判断された直後に前記延長時間設定手段が操作されると想定できる。
【００１５】
そこで、本発明においては、前記延長時間設定許可手段は、前記重量変化判断手段により、前記第１重量と前記第２重量との差が前記所定範囲内であると判断されてから、前記所定時間が経過したときは、使用者が追い加熱を行うことを希望しておらず、次の加熱調理を行うことを希望していると判断して、前記延長時間設定手段の操作を無効且つ前記加熱条件設定手段の操作を有効とする。これにより、前記加熱調理が終了して調理物を交換したときに、交換前の調理物の重量と交換後の調理物の重量との差がたまたま前記所定範囲内であった場合に、前記加熱調理の実行が不能となることを防止することができる。
【００１６】
また、前記加熱調理器は、前記加熱条件設定手段として前記加熱調理の実行時間を設定する加熱時間設定手段を備え、前記延長時間設定許可手段は、前記重量変化判断手段により、前記第１重量と前記第２重量との差が前記所定範囲内にあったと判断されたときには、前記加熱時間設定手段を前記延長時間設定手段として使用することを特徴とする。
【００１７】
かかる本発明によれば、前記延長時間を設定するための新たな手段を設けることを不要とすることができる。そして、前記延長時間設定許可手段により、前記加熱時間設定手段の設定対象（前記追い加熱の実行時間と前記加熱調理の実行時間）が切替えられるため、使用者は設定対象を切替える操作を行う必要がない。
【００１８】
【発明の実施の形態】
本発明の実施の形態の一例を、図１〜図５を参照して説明する。図１は本発明の加熱調理器である複合調理器の側面の断面図、図２は図１に示した複合調理器の制御ブロック図、図３〜図５は図１に示した複合調理器における加熱調理の制御フローチャートである。
【００１９】
図１を参照して、本発明の複合調理器１は、加熱室２内のターンテーブル３上に載置された調理物４を加熱調理するものであり、加熱源として、加熱用高周波を発生するマグネトロン５（本発明の加熱手段に相当する）と、熱風を発生するためのガスバーナ６（本発明の加熱手段に相当する）とを備える。そして、複合調理器１は、マグネトロン５を単独作動させる高周波加熱調理、ガスバーナ６を単独作動させる熱風加熱調理、及びマグネトロン５とガスバーナ６の双方を作動させる複合加熱調理という３種類の調理モードで、調理物４に対する加熱調理を行う。
【００２０】
ガスバーナ６には、ガス供給管（図示しない）を介して燃料ガスが供給され、循環ファン８により燃焼用空気が引き込まれて供給される。そして、ガスバーナ６の燃焼によって加熱された空気が空気通路９を通って循環ファン８により吸引され、熱風が加熱室２に送られる。また、ガスバーナ６の燃焼排気は、排気筒１０を介して排出される。
【００２１】
また、ターンテーブル３は、ターンテーブル台１１を介して同期モータ１２により回転駆動され、循環ファン８は循環ファンモータ１４により回転駆動される。
【００２２】
さらに、複合調理器１は、扉１５の開閉状態を検出するドアスイッチ１６（本発明の開閉検出手段に相当する）と、加熱室２内の温度（熱風加熱調理及び複合加熱調理における加熱室２内の温度制御に用いられる）を検出する温度センサ１７と、調理物４から放出される水蒸気のレベル（高周波加熱調理及び複合加熱調理において、調理物４の加熱度合いを判断するために用いられる）を検出する湿度センサ１８と、ターンテーブル３に置かれた調理物４の重量を検出する重量センサ１９（本発明の重量検出手段に相当する）と、使用者により加熱調理条件の設定や加熱調理の開始／停止等が指示される操作ユニット２０とを備える。そして、複合調理器１の作動は、制御ユニット２１により制御される。
【００２３】
次に、図２を参照して、制御ユニット２１はＣＰＵ，ＲＯＭ，ＲＡＭ等から成る電子ユニットであり、電源回路２２からの供給電力により作動する。そして、制御ユニット２１は、使用者による操作ユニット２０の操作に応じて、調理物４に対する加熱調理を実行する。
【００２４】
使用者は、操作ユニット２０の操作により、使用者自身の操作により調理時間や調理温度等の加熱調理における加熱条件が設定される手動調理と、予め用意されたいくつかの自動調理メニューの中から使用者が希望する自動調理メニューを選択することで、該選択された自動調理メニューに応じて制御ユニット２１が加熱調理における加熱条件を設定する自動調理とを行うことができる。
【００２５】
操作ユニット２０は、手動調理における加熱条件の設定のため、調理時間を設定する調理タイマエンコーダ２４（本発明の加熱条件設定手段及び加熱時間設定手段に相当する）、前記調理モード（高周波加熱調理、熱風加熱調理、及び複合加熱調理）を選択する調理モード選択スイッチ２５（本発明の加熱条件設定手段に相当する）、及び前記熱風加熱調理又は前記複合加熱調理が選択されたときに、加熱室２内の調理温度を設定する温度設定スイッチ２６（本発明の加熱条件設定手段に相当する）を備える。尚、調理タイマエンコーダ２４は、後述する追い加熱を行うための延長時間の設定にも流用され（この場合、調理タイマエンコーダ２４は本発明の延長時間設定手段に相当する）、これにより延長時間を設定するための専用の操作手段を設けることを不要としている。
【００２６】
また、操作ユニット２０は、「お菓子」、「ゆでもの」、「解凍」、「あたため」等の前記自動調理メニューの選択を行うための調理メニュー選択スイッチ２７（本発明の加熱条件設定手段に相当する）を備える。
【００２７】
尚、操作ユニット２０は表示部３７を有し、表示部３７には、調理タイマエンコーダ２４により設定された調理時間、温度設定スイッチ２６により設定された温度等が表示され、加熱調理の開始後は加熱調理の終了までの残時間等が表示される。
【００２８】
使用者が操作ユニット２０を操作して手動調理又は自動調理における加熱条件を設定し、扉１５を閉めた状態で調理スタートスイッチ２８を操作すると、制御ユニット２１は該加熱条件に従って調理物に対する加熱調理を実行する。加熱調理においては、制御ユニット２１は、同期モータ１２によるターンテーブル３（図１参照）の作動制御、マグネトロン駆動回路２３によるマグネトロン５の作動制御、そして熱風加熱を行うための循環ファンモータ１４、バーナ作動制御部３１、及びイグナイタ３２の制御を行う。
【００２９】
バーナ作動制御部３１は、複数の電磁弁３３とこれらの電磁弁３３を駆動するソレノイド３４とガスガバナ３７とからなり、ガスバーナ６に供給する燃料ガスの流量を調節する。また、制御ユニット２１は、イグナイタ３２によりスパーク電極３５に火花放電を生じさせることでガスバーナ６の点火を行い、フレームロッド３６によりガスバーナ６の燃焼状態を検知する。
【００３０】
加熱調理が終了すると、使用者は扉１５を開けて調理物４の仕上がり具合（加熱具合）を確認するが、加熱が不足していると感じたときは、使用者は加熱調理が終了した際の加熱条件で、加熱時間を延長してさらに調理物を加熱する追い加熱を行うことを希望すると考えられる。一方、使用者が調理物４の加熱が十分であると判断したときには、使用者は調理物４を取出して調理を終了するか、或いは調理物を交換して次の加熱調理を行うことを希望すると考えられる。そこで、制御ユニット２１は、加熱調理が終了したときに、使用者の希望に応じて、追い加熱と次の加熱調理とを選択的に実行可能とする制御を行っている。
【００３１】
以下、図２及び図３〜図５のフローチャートを参照して、制御ユニット２１による加熱調理と追い加熱の実行手順について説明する。図２を参照して、制御ユニット２１は、加熱調理を行うために加熱調理制御手段４０を備え、また、追い加熱を行うために、追い加熱制御手段４１，重量変化判断手段４３，延長時間設定許可手段４４，及びメモリ４５（本発明の記憶手段に相当する）を備える。
【００３２】
図３を参照して、使用者が電源スイッチ（図示しない）をＯＮ操作すると、制御ユニット２１が作動を開始し、ＳＴＥＰ１で操作パネル２０を加熱条件設定モードとする。加熱条件設定モードにおいては、使用者は、調理メニュー選択スイッチ２７により自動調理のメニューを選択したり、又は調理タイマエンコーダ２４を操作して手動調理における加熱時間を設定する。即ち、加熱調理を行うための加熱条件の設定操作のみが有効となり、追い加熱を行うための延長時間を設定することはできない。
【００３３】
そして、使用者が、上述したように操作パネル２０のスイッチ類を操作し、手動調理或いは自動調理における加熱条件が設定されると、ＳＴＥＰ２からＳＴＥＰ３に進み、ドアスイッチ１６により扉１５が閉じられていることを検知したときは、制御ユニット２１はＳＴＥＰ４で使用者による調理スタートスイッチ２８の操作待ちとなる。
【００３４】
使用者が調理スタートスイッチ２８を操作すると、ＳＴＥＰ４からＳＴＥＰ５に進み、加熱調理制御手段４０が、ＳＴＥＰ２で設定された加熱条件に基づいて、上述した調理物に対する加熱調理を実行する。
【００３５】
加熱調理が終了すると、ＳＴＥＰ６に進んで、制御ユニット２１は該加熱調理が終了する際の加熱条件をメモリ４５に記憶し、また、ＳＴＥＰ７で、重量変化判断手段４３は、重量センサ１９により検出される加熱調理終了時の調理物の重量である第１重量Ｗ１  をメモリ４５に記憶する。そして、ＳＴＥＰ８で、制御ユニット２１は操作パネル２０を延長時間設定モードとして、使用者による追い加熱の実行指示が可能な状態とする。
【００３６】
延長時間設定モードにおいては、使用者が調理タイマエンコーダ２４を操作すると、追い加熱を行うための延長時間が設定される。即ち、追い加熱を行うための延長時間の設定操作のみが有効となり、手動調理における加熱時間を設定することはできない。そしてさらに、制御ユニット２１は、加熱条件を設定するための他のスイッチ類、即ち、調理モード選択スイッチ２５，温度設定スイッチ２６，調理メニュー選択スイッチ２７の操作を無効とする。
【００３７】
そのため、使用者が調理タイマエンコーダ２４以外のこれらのスイッチを操作しても、手動調理或いは自動調理における加熱条件を設定することができず、使用者は追い加熱時間の設定のみを行うことができる。これにより、使用者の誤操作により自動調理又は手動調理の加熱条件が設定され、加熱調理が終了した際の加熱条件で追い加熱を行うことができなくなることを防止している。
【００３８】
続くＳＴＥＰ９で、制御ユニット２１は、５分タイマをスタートさせ、扉１５が開けられるまでは、ＳＴＥＰ１０，ＳＴＥＰ２０，及びＳＴＥＰ３０のループを実行して、使用者による延長時間の設定待ちとなる。そして、延長時間が設定されずに、ＳＴＥＰ３０で５分タイマがタイムアップしたときは、制御ユニット２１は、使用者に追い加熱を行う意思がないと判断してＳＴＥＰ１に進んで操作パネル２０を加熱条件設定モードとする。これにより、調理タイマエンコーダ２４による延長時間の設定が不能となって追い加熱の実行ができなくなり、次の加熱調理を行うための手動調理又は自動調理の加熱条件の設定操作が可能となる。
【００３９】
一方、ＳＴＥＰ３０で５分タイマがタイムアップする前に、使用者が調理タイマエンコーダ２４により延長時間を設定したときには、ＳＴＥＰ２０からＳＴＥＰ２１に進む。そして、制御ユニット２１は、ＳＴＥＰ２１で５分タイマをスタートさせ、ＳＴＥＰ２２，ＳＴＥＰ２５のループを実行して、使用者による調理スタートスイッチ２８の操作待ちとなる。
【００４０】
ＳＴＥＰ２５で５分タイマがタイムアップする前に調理スタートスイッチ２８が操作されたときは、ＳＴＥＰ２２からからＳＴＥＰ２３に進み、追い加熱制御手段４１が、調理タイマエンコーダ２４で設定された延長時間の間、メモリ４５に保持された加熱条件に従って、調理物の追い加熱を実行する。
【００４１】
このように、追い加熱制御手段４１は、メモリ４５に記憶された加熱条件に従って追い加熱を実行するので、使用者は追い加熱を行うために新たに加熱条件を設定する必要がない。また、自動調理の場合は、上述したように制御ユニット２１により加熱条件が設定されるため、使用者はどのような条件で加熱調理が行われたかを知ることはできす、加熱調理が終了した際の加熱条件を設定することができない。そこで、メモリ４５に加熱調理終了時の加熱条件を記憶しておくことで、自動調理が終了した際の加熱条件で追い加熱を実行することができる。そして、追い加熱を終了すると、ＳＴＥＰ６に進み、再び追い加熱の指示待ち状態となる。
【００４２】
一方、調理スタートスイッチ２８が操作されずに、ＳＴＥＰ２５で５分タイマがタイムアップしたときには、使用者が追い加熱の実行を取りやめたと判断でき、また、時間の経過と共に加熱室２内の温度も下がってしまうと考えられるため、ＳＴＥＰ２５からＳＴＥＰ１に進んで、制御ユニット２１は加熱条件の設定待ちとなる。
【００４３】
また、ＳＴＥＰ９で５分タイマがスタートされてから５分が経過する前に扉１５が開けられると、制御ユニット２１はＳＴＥＰ１０からＳＴＥＰ１１に進んで、５分タイマを再スタートさせた上で、ＳＴＥＰ１２〜ＳＴＥＰ１４のループを実行して延長時間の設定待ちとなる。
【００４４】
延長時間が設定されずに、ＳＴＥＰ１４で５分タイマがタイムアップしたときは、制御ユニット２１は、使用者に追い加熱を行う意思がないと判断してＳＴＥＰ１に進み、操作パネル２０を加熱条件設定モードとする。これにより、調理タイマエンコーダ２４による延長時間の設定が不能となって追い加熱の実行ができなくなり、次の調理を行うための加熱条件の設定操作が可能となる。
【００４５】
一方、使用者が調理タイマエンコーダ２４を操作して延長時間を設定したときには、ＳＴＥＰ１３からＳＴＥＰ５０に分岐し、制御ユニット２１は５分タイマをスタートさせて、ＳＴＥＰ５１，ＳＴＥＰ６０のループを実行してドアスイッチ１６により扉１５が閉められたことが検知されるのを待つ。そして、扉１５が閉められたことが検知されたときは、ＳＴＥＰ５１からＳＴＥＰ２２に進んで調理スタートスイッチ２８の操作待ちとなる。
【００４６】
また、扉が閉められずにＳＴＥＰ６０で５分タイマがタイムアップしたときには、ＳＴＥＰ３０と同様に、使用者が追い加熱の実行を取りやめたと判断でき、また、時間の経過と共に加熱室２内の温度も下がってしまうと考えられるため、ＳＴＥＰ６０からＳＴＥＰ１に進んで、制御ユニット２１は加熱条件の設定待ちとなる。
【００４７】
また、ＳＴＥＰ１２〜ＳＴＥＰ１４のループの実行中に、使用者が扉１５を閉めたことをドアスイッチ１６により検知したときは、制御ユニット２１はＳＴＥＰ１２から図５のＳＴＥＰ４０に分岐する。ＳＴＥＰ４０は重量変化判断手段４３による処理であり、重量変化判断手段４３は、ＳＴＥＰ７でメモリ４５に記憶させた第１重量Ｗ１  と、ＳＴＥＰ４０における（扉１５が閉められた時における）重量センサ１９による調理物の検出重量である第２重量Ｗ２  との差（｜Ｗ１  −Ｗ２  ｜）が２０ｇ以下（本発明の所定範囲内に相当する）であるか否かを判断する。
【００４８】
重量変化判断手段４３により第１重量Ｗ１  と第２重量Ｗ２  との差が２０ｇ以下であると判断されたときは、使用者が調理物を取出さずに扉１５を閉めたか、一旦取出した調理物を再び加熱室２に戻したと想定され、この場合には、使用者は追い加熱を行うことを希望していると判断できる。一方、重量変化判断手段４３により第１重量Ｗ１  と第２重量Ｗ２  との差が２０ｇを越えたときには、使用者が調理物を交換したと考えられ、この場合には、使用者は追い加熱を行うことを希望せず、次の（新たな）加熱調理を行うことを希望していると考えられる。
【００４９】
そこで、延長時間設定許可手段４４は、第１重量Ｗ１  と第２重量Ｗ２  との差が２０ｇを越え、使用者が次の加熱調理を行うことを希望していると想定されるときは、ＳＴＥＰ４０からＳＴＥＰ１に分岐する。これにより、操作パネル２０を延長時間設定モードから加熱条件設定モードに切替え、延長時間の設定を不能とし、且つ、使用者による加熱条件の設定を可能とする（本発明の「延長時間設定手段の操作を無効且つ加熱条件設定手段の操作を有効とする」に相当する）。
【００５０】
一方、第１重量Ｗ１  と第２重量Ｗ２  との差が２０ｇ以下であり、使用者が追い加熱を行うことを希望していると想定されるときには、延長時間設定許可手段４４は操作パネルを延長時間設定モードに保ち、使用者による加熱条件の設定を不能とし、且つ、延長時間の設定を可能とする（本発明の「加熱条件設定手段の操作を無効且つ延長時間の操作を有効とする」に相当する）。そして、ＳＴＥＰ４０からＳＴＥＰ４１に進み、延長時間設定許可手段４４は１０秒タイマをスタートさせる。
【００５１】
ＳＴＥＰ４３で該１０秒タイマがタイムアップする前に、延長時間が設定されたときは、ＳＴＥＰ４２からＳＴＥＰ７０に分岐し、制御ユニット２１は５分タイマをスタートさせる。そして５分タイマがタイムアップする前に、使用者により調理スタートスイッチ２８が操作されたときは、ＳＴＥＰ７１からＳＴＥＰ７２に進み、追い加熱制御手段４１により追い加熱が実行される。一方、ＳＴＥＰ８０で５分タイマがタイムアップしたときには、ＳＴＥＰ３０と同様、使用者が追い加熱の実行を取りやめたと判断でき、また、時間の経過と共に加熱室２内の温度も下がってしまうと考えられるため、ＳＴＥＰ８０からＳＴＥＰ１に進んで、制御ユニット２１は加熱条件の設定待ちとなる。
【００５２】
このように、延長時間設定許可手段４４の処理により、使用者の希望に応じて追い加熱と次の加熱調理とを選択して実行することができる。そしてこの場合、追い加熱を行うための延長時間の設定が可能な期間（延長時間設定モード）と、次の加熱調理を行うための加熱条件の設定が可能な期間（加熱条件設定モード）とが、使用者の意に添ったかたちで切り替わるため、使用者の選択操作を不要とすることができる。さらに、延長時間の設定と手動調理における加熱時間の設定という時間の設定操作を、共通の調理タイマエンコーダ２４の操作によって行うことができるため、使用者の使い勝手が良い。
【００５３】
また、上述したように、延長時間設定モードにおいては延長時間の設定のみが可能であり、加熱条件設定モードにおいては加熱条件の設定のみが可能である。そのため、使用者が操作パネル２０を誤操作して、意に反した加熱調理が行われることを防止することができる。
【００５４】
また、延長時間が設定されずに、ＳＴＥＰ４３で１０秒タイマがタイムアップしたときは、ＳＴＥＰ１に進んで、操作パネル２０は延長時間設定モードから加熱条件設定モードに切り替わり、延長時間の設定が不能となる。即ち、延長時間設定許可手段４４は、ＳＴＥＰ１２で扉１５が閉められたことを検知してから１０秒以内（本発明の所定時間内に相当する）に限って、延長時間の設定を有効としている。
【００５５】
この１０秒という時間は、使用者が追い加熱を行うために扉１５を閉めてから延長時間を設定するまでに経過すると想定した最長時間である。即ち、追い加熱を行う場合は、使用者は扉１５を閉めて直ちに延長時間を設定すると想定される。これに対して、使用者が調理物を交換して次の（新たな）加熱調理を行おうとするときには、加熱条件の確認、検討等のため、扉１５を閉めてから実際に加熱条件を設定するまでにある程度時間を要し、１０秒を経過すると想定される。
【００５６】
そこで、ＳＴＥＰ４３で１０秒タイマがタイムアップしたときは、延長時間設定許可手段４４は、ＳＴＥＰ１に進んで操作パネル２０を延長時間設定モードから加熱条件設定モードに切替える。これにより、加熱調理が終了し、使用者が調理物を交換して加熱調理を行おうとしたときに、取出された調理物の重量である第１重量Ｗ１  と、新たに加熱室２に入れられた調理物の重量である第２重量Ｗ２  との差がたまたま近似し、該第１重量Ｗ１  と該第２重量Ｗ２  との差が２０ｇ以下となったときに、延長時間設定モードが継続して加熱条件の設定が不能となって次の加熱調理ができなくなることを防止している。
【００５７】
尚、使用者が操作ユニット２０に備えられた取消しスイッチ２９を操作すると、制御ユニット２１は、割込み処理により、加熱調理及び追い加熱の実行中であればこれらの実行を中止し、また、加熱条件が設定されていればこれをクリアして図３のＳＴＥＰ１から処理を再スタートする。
【００５８】
また、本実施の形態においては、本発明の加熱調理器として、ガスバーナ６を熱風加熱の加熱源とした複合調理器１を示したが、電気ヒータを熱風加熱の加熱源とした電子オーブンレンジや、マグネトロンのみを備えた電子レンジ等に対しても本発明の適用が可能である。
【図面の簡単な説明】
【図１】複合調理器の側面の断面図。
【図２】図１に示した複合調理器の制御ブロック図。
【図３】加熱調理及び追い加熱の制御フローチャート。
【図４】加熱調理及び追い加熱の制御フローチャート。
【図５】加熱調理及び追い加熱の制御フローチャート。
【符号の説明】
１…複合調理器、２…加熱室、３…ターンテーブル、４…調理物、５…マグネトロン、６…ガスバーナ、８…循環ファン、９…空気通路、１０…排気筒、１１…ターンテーブル台、１２…同期モータ、１４…循環ファンモータ、１５…扉、１６…ドアスイッチ、１７…温度センサ、１８…湿度センサ、１９…重量センサ、２０…操作ユニット、２１…制御ユニット、３１…バーナ作動制御部、４０…加熱調理制御手段、４１…追い加熱制御手段、４３…重量変化判断手段、４４…延長時間設定許可手段、４５…メモリ
【図１】
0003581267.tif 000002
【図２】
0003581267.tif 000003
【図３】
0003581267.tif 000004
【図４】
0003581267.tif 000005
【図５】
0003581267.tif 000006